(57)【要約】【課題】本発明は、引き戸と開き戸との両機能を有し、狭い開口部や可動間仕切りに適する移動折れ戸及びその取付構造を提供すること。【解決手段】一対の扉体１２、１２の略中央部において蝶番１１を取付けた折り戸であって、前記折り戸は、上方部に吊り戸用の移動回転用キャスター１５を有し、下方部には床敷レール１８の上を滑動する移動回転用キャスター１５を有し、前記移動回転用キャスター１５の前端部及び又は後端部には、連結自在な連結部１５０を有することを特徴とする移動折れ戸１である。【選択図】図３
2005029972.tif 000002
【特許請求の範囲】
【請求項１】
一対の扉体の略中央部において蝶番を取付けた折り戸であって、
前記折り戸は、上方部に吊り戸用の移動回転用キャスターを有し、下方部には床敷レールの上を滑動する移動回転用キャスターを有し、
前記移動回転用キャスターの前端部及び又は後端部には、連結自在な連結部を有することを特徴とする移動折れ戸。
【請求項２】
連結部は、磁性体、板ばね又は弾性プラスチックにより構成されていることを特徴とする請求項１に記載の移動折れ戸。
【請求項３】
磁性体は、磁製鋼、磁製酸化鉄、モリブデン硫化物、希土類磁性イオン含有ロジウムホウ化物から選ばれた１種又は１種以上の凹凸嵌合及び又は、段継ぎ接合であることを特徴とする請求項１又は請求項２に記載の移動折れ戸。
【請求項４】
弾性プラスチックは、ポリアミド、ポリアセタール、ポリプロピレン、ポリエチレン、ポリカーボネートから選ばれた１種又は１種以上のプラスチックばねから構成されたクリップであることを特徴とする請求項１、請求項２又は請求項３に記載の移動折れ戸。
【請求項５】
板ばねは、炭素鋼オイルテンパ、ばね用ステンレス鋼、ばね用シリコンクロムオイルテンパより選ばれた１又は一種以上により構成された凹凸嵌合クリップであることを特徴とする請求項１、請求項２請求項３又は請求項４に記載の移動折れ戸。
【請求項６】
折り戸の上方部及び下方部には、移動回転用キャスターに立設された磁性体、板ばね、弾性プラスチックのいずれかにより構成されたドア接合軸と、これと嵌合する軸受凹部とを上下端部近傍に有することを特徴とする請求項１〜請求項５のいずれかに記載の移動折れ戸。
【請求項７】
蝶番は、中心軸蝶番、スライド蝶番、フラップ蝶番、テーブル蝶番、はね上げ蝶番のいずれか１種又は１種以上であることを特徴とする請求項１〜請求項６のいずれかに記載の移動折れ戸。
【請求項８】
吊り戸用の移動回転用キャスターは、吊りレールに懸架され、少なくとも移動回転用キャスターが滑動する部分には、耐摩耗性塗膜、摺動円滑性塗膜を有し、前後両端部においては、磁性体及び又は弾性体のストッパーを有することを特徴とする請求項１〜請求項７のいずれかに記載の移動折れ戸。
【請求項９】
ドア枠と、該ドア枠の上方部及び下方部に配設された吊りレール及び床敷レールと、該ドア枠の吊りレール及び床敷レールに滑動可能に配設された移動回転用キャスターと、少なくとも一対の扉体とにより、構成されていることを特徴とする移動折れ戸の取付構造。
【請求項１０】
ドア接合軸と、これを嵌合する軸受凹部は、一対の扉体の略中央部に取付けられた蝶番などの蝶番より最も離れた上下端部近傍に配設されていることを特徴とする請求項９に記載の移動折れ戸の取付構造。
【発明の詳細な説明】
【発明の属する技術分野】
本発明は、狭い開口部や可動間仕切りに適する移動折れ戸及びその取付構造に関するものである。
【従来の技術】
従来の折り戸９は、特許文献１によれば、図５に示すごとく、一対の扉体９４、９４を蝶番９０を介して、２つのドアが連結され、略中央部においてクッション材９５が相互に当接する位置に取付けられたものが提案されている。そして、この折り戸９は、たんす等の家具や間仕切りなどに用いられることが開示されている。
また、上記クッション材９５の近傍において把手部９６が配設されており、この把手部９６は指の挾みを解消すべく、略コの字形状のものが開示されている。
【０００１】
一方、非特許文献２及び特許文献３によれば、図６及び図７に示すごとく、引き戸と開き戸の両機能を有するスライディングドア９１が開示されている。このスライディングドア９１は、可動間仕切りの一種であって、図６に示すごとく、まず把手９８を手前に引き、少し開口した状態でそのまま右方か左方へ吊りレール９２と床敷レール９３に対してドアが略直交するような状態で移動するものである。なお、このドアには、ドア枠９７が配設されている。
【０００２】
これにより、図７の上段図に示すごとく、例えば洗面器７を有する洗面所や便器を有するトイレなどにおいても、スライディングドア９１の端部が洗面器７や便器に当接しない利点がある。
また、図７の下段図に示すごとく、ドアの開閉時にドア近辺にいる人にスライディングドア９１の端部が当接しない利点もある。図７に示すごとく、スライディングドア９１は、一般に壁面８に囲まれた比較的狭い開口部に設けられることが多い。
【０００３】
【特許文献１】
特開平９−３２４２８号公報
【非特許文献２】
建築現場実用語辞典（株式会社  井上書院発行）
【非特許文献３】
建築大事典  特２版（普及版）（株式会社  彰国社発行）
【０００４】
【発明が解決しようとする課題】
しかしながら、特許文献１によれば、家具などにおいて、折り戸９の少なくとも一端部又は両端部は、ドア枠９７に取付け固定されたものであり、用途は限定されることになる。
また、クッション材９７が当接破損したり、摩耗する問題点がある。そして、例示された把手９６は指を挾まないが、指先にドア開閉時において、指先に対して力の負担が大きくかかる問題点がある。
【０００５】
一方、非特許文献２及び３に開示されたスライディングドア９１は、図６及び図７の上段図に示すごとく、その開閉時、特に開放時において、少なくともドア全横幅９１０の２分の１である少なくとも半分の横幅９１１の回転スペースを該ドアの前方と手前側において、必要とする。
そのため、図７の上段図に示すごとく、洗面器７の設置場所に制約が加わったり、スライディングドア９１の端部が洗面器７などに１部当接する場合があり得る。
【０００６】
そこで、本発明は、前記従来の技術の問題点に鑑みてなされたものであり、本発明が解決しようとする課題は、開き戸と引き戸との利点を有し、更に折り戸の数を全体として増加させ得ると共に、狭い開口部や可動間仕切りに適する移動折れ戸及びその取付構造を提案しようとするものである。
【０００７】
【問題を解決するための手段】
上記課題を解決するために、本発明が採った手段は、請求項１〜請求項１０の記載に示す通りのものである。なお、本発明を具体的に説明するため、実施例において使用する図面の符号を用いて、以下に説明する。
【０００８】
まず、請求項１に記載された発明が採った手段は、一対の扉体１２、１２の略中央部に蝶番１１を取付けた折り戸であって、
前記折り戸は、上方部に吊り戸用の移動回転用キャスター１５を有し、下方部には床敷レール１８の上を滑動する移動回転用キャスター１５を有し、
前記移動回転用キャスター１５の前端部及び又は後端部には連結自在な連結部１５０を有することを特徴とする移動折れ戸を提案するものである。
これにより、開き戸と引き戸との利点を有し、更に折り戸の数を全体として増加させ得ることが可能で、狭い開口部や可動間仕切りに適する移動折れ戸１及びその取付構造を提供することが出来る。
【０００９】
次に、請求項２に記載された発明が採った手段は、連結部１５０は磁性体、板ばね又は弾性プラスチックにより構成されていることを特徴とする移動折れ戸１を提案するものである。
これにより、一対の扉体１２、１２の前端部と後端部を連結したり、分離して着脱自在な移動折れ戸１を得ることが出来る。
【００１０】
そして、請求項３に記載された発明が採った手段は、磁性体は、磁製鋼、磁製酸化鉄、モリブデン硫化物、希土類磁性イオン含有ロジウムホウ化物から選ばれた１種又は１種以上の凹凸嵌合及び又は、段継接合であることを特徴とする移動折れ戸１を提案するものである。
これにより、強力な磁性体による移動回転用キャスター１５の連結部１５０を形成し、複数の一対の扉体１２、１２を連結自在に連結することが出来る。
【００１１】
請求項４に記載された発明が採った手段は、ポリアミド、ポリアセタール、ポリプロピレン、ポリエチレン、ポリカーボネートから選ばれた１種又は１種以上のプラスチックばねから構成された凹凸嵌合クリップであることを特徴とする移動折れ戸１を提案するものである。
これにより、軽量で錆が出ず、可撓性、柔軟性に優れ、かつ複雑な形状の凹凸嵌合クリップ（プラグ又はキャッチ具も含む）で、量産性、加工性に優れた連結自在な連結部１５０を形成することが出来る。
【００１２】
そして、請求項５に記載された発明が採った手段は、板ばねは炭素鋼オイルテンパ、ばね用ステンレス鋼、ばね用シリコンクロムオイルテンパより選ばれた１種又は１種以上により構成された凹凸嵌合クリップ（プラグ又はキャッチ具も含む）であることを特徴とする移動折れ戸１を提案するものである。
これにより、磁性体よりも弾力性、柔軟性、クッション性に優れた着脱自在な凹凸嵌合クリップを得ることが出来る。
【００１３】
また、請求項６に記載された発明が採った手段は、折り戸の上方部及び下方部には、移動回転用キャスター１５に立設された磁性体、板ばね、弾性プラスチックのいずれかにより構成されたドア接合軸１４と、これと嵌合する軸受凹部１３とを上下端部近傍に有することを特徴とする移動折れ戸１を提案するものである。
これにより、吊りレール１７、床敷レール１８よりも手前側に移動折れ戸１を折りたたむことが可能となり、更に移動折れ戸１の上下端部近傍において、回転円滑性に優れた移動回転用キャスター１５と移動折れ戸１の上下端部近傍における接合部を形成することが出来る。
【００１４】
更に、請求項７に記載された発明が採った手段は、蝶番１１は、中心軸蝶番、スライド蝶番、フラップ蝶番、テーブル蝶番、はね上げ蝶番のいずれかであることを特徴とする移動折れ戸１を提案するものである。
これにより、一対の扉体１２、１２の略中央部において、比較的小さいスペースであっても、折りたたみが自在な移動折れ戸１を得ることが出来る。
【００１５】
また、請求項８に記載された発明が採った手段は、吊り戸用の移動回転用キャスター１５は、吊りレール１７に懸架され、少なくとも移動回転用キャスター１５が滑動する部分には、耐摩耗性塗膜、摺動円滑性塗膜を有し、前後両端部においては、磁性体及び又は弾性体のストッパー１７２、１７３、１８２、１８３を有することを特徴とする移動折れ戸１を提案するものである。
これにより、移動折れ戸１の左右への移動が円滑になり、吊りレール１７の耐久性が向上する。また、吊りレール１７の両端部において、移動折れ戸１が当接時における衝撃が緩和された状態で停止し、ストッパー１７２、１７３、１８２、１８３に移動折れ戸１の前端部又は後端部が連結自在に拘束されることが出来る。
【００１６】
そして、請求項９に記載された発明が採った手段は、ドア枠１９と、該ドア枠１９の上方部及び下方部に配設された吊りレール１７及び床敷レール１８と、該ドア枠の吊りレール１７及び床敷レール１８に滑動可能に配設された移動回転用キャスター１５と、少なくとも一対の扉体１２、１２とによって構成されたことを特徴とする移動折れ戸１の取付構造を提供するものである。
これにより、ドア枠１９内において、一対の扉体１２、１２の連結を連結自在の状態で左右に移動折れ戸１を個別毎に連結して移動し、又は移動折れ戸１全体を連結して移動させることが出来る。
したがって、狭い開口部であっても、また広い開口部を有する会議室や集会所の可動間仕切りとして適する移動折れ戸１を得ることが出来る。
また、広い横幅を有するクローゼットや収納家具の移動折れ戸１を提供することが出来る。
【００１７】
また、請求項１０に記載された発明が採った手段、ドア接合軸１４と、これを嵌合する軸受凹部１３は、一対の扉体１２、１２の略中央部に取付けられた蝶番１１よりも最も離れた上下端部近傍に配設されていることを特徴とする移動折れ戸１の取付構造を提供するものである。
これにより、吊りレール１７、床敷レール１８よりも手前側に移動折れ戸１を折りたたむことが出来るため、移動折れ戸１の向こう側に折りたたんだ移動折れ戸１が殆ど、スペースを占有することはない。
したがって、クローゼットや収納家具の横幅の広い折り戸として最適の移動折れ戸１及びその取付構造を提供することが出来る。
【００１８】
【発明の実施の形態】
本発明の実施の形態につき、請求項１〜請求項１０及び実施例１及び実施例２に対応させながら、特に実施例で使用する図面に基づいて、本発明の各種態様を具体的かつ詳細に説明する。
【００１９】
まず、図３は、実施例２に係る移動折れ戸１及びその取付構造を示す部分斜視図である。この図面に示す移動折れ戸１は本発明の最も代表例である。
一対の扉体１２、１２の略中央部に蝶番１１を取り付けた複数の折り戸であって、折り戸は、上方部の吊り戸用の移動回転用キャスター１５を複数有し、下方部には床敷レール１８の上を滑動する複数の移動回転用キャスター１５を有し、これらの移動回転用キャスター１５の前端部及び後端部には、連結自在な複数の連結部１５０を有する。そのため、便宜上「連結タイプの移動折れ戸１」という上記移動回転用キャスター１５は、例えば本体が磁性体により構成された、いわゆるマグネットランナーの一種である。そのため、例えば、車軸を介在して回動するゴム製の車輪１６を有する。
【００２０】
上記連結部１５０は、磁性体により構成されたマグネット連結具であり、これは請求項２及び請求項３に記載された内容に対応するものである。
上記連結部１５は、磁性体のほか、板ばね又は弾性プラスチックにより構成され、凹凸嵌合を基本構造とする凹凸嵌合クリップよりなる。この凹凸嵌合クリップとは、ばねの性質を利用した凸状物と、これに対応する凹状物の一組の凹凸嵌合具である。
【００２１】
連結部１５０は、一名「プラグ」又は「キャッチ具」とも呼ばれ、例えば箱物類の開閉を所定の位置に保持するための金具や磁性力を利用するものとがある。取付け方法は、例えば移動回転用キャスター１５自体が磁性体からなるものと、移動回転用キャスター１５の前端部及び又は後端部に接合するものとがある。前端部には必ず前記連結部１５０を接合するのに対し、後端部には連結部１５０を有しないものがあり得る。
【００２２】
上記連結部１５０は、請求項３、請求項４、請求項５に記載された各種材料により構成されることが好ましい。磁性力又は、ばね弾性力が比較的優れているからである。しかしながら、請求項３〜請求項５に例示した材料以外によっても連結部１５０は構成されることがあり得る。また、例示された材料を組み合わせて使用することも出来る。なお、上記連結部１５０は、移動回転用キャスター１５の前端部又は後端部に接着接合、螺合接合等により装着する。
【００２３】
次に、前記蝶番１１は、請求項７に例示された材料の１種又は１種以上を組み合わせて使用することが出来る。これらの蝶番１１は、一対の扉体１２、１２の折り戸の略中央部に取り付けられるが、はね上げ蝶番のごとく、スプリング内蔵タイプやストッパー機構（図示略）などの蝶番もある。また、ライティングビローの扉に使用する開くと、扉の裏面と底面面が揃うタイプのものもある。なお、このタイプのものは屏風蝶番ともいう。
【００２４】
その他にも、中心軸蝶のごとく、回転軸の中心を扉厚の中心位置に取付けるタイプもある。また、スライド蝶番のごとく、複数の回転軸からなる開閉機構を有する蝶番で、取り付け位置が前後左右に調整可能で着脱も可能である。そして、開閉角度が９０〜１１５度、広角度形は１５０〜１８０度の範囲のものである。以上の説明は、非特許文献２及び特許文献３、又は機械便覧等に記載されているため、詳細な説明及び図面による例示は割愛する。
【００２５】
図３において注目すべきことは、請求項６に記載されているごとく、折り戸に上方部及び下方部には、移動回転用キャスター１５の略中央部において立設された磁性体、板ばね、弾性プラスチック等から構成されたドア接合軸１４の軸受凹部１３を有することである。
上記ドア接合軸１４は、一対の扉体１２、１２の好ましくは上下端部近傍に取り付ける。そして、後述する移動折れ戸１の取付構造における取付手順を工夫することにより、比較的簡単な構造により、従来の吊り戸に使用されるキャターのごとく、ベアリングなどによる複雑な回動機構を必要としない。これは、ドア接合軸１４と軸受凹部１３とがフリーな嵌合状態にあるため、回転円滑性に優れているからである。
【００２６】
次に、図３において注目すべきことは、吊り戸用の移動回転用キャスター１５は、吊りレール１７に懸架され、少なくとも移動回転用キャスター１５が滑動する部分には、耐摩耗性塗膜、摺動円滑性塗膜を有し、前後両端部においては、磁性体及び又は弾性体のストッパー１７２、１７３、１８２、１８３を有することである。これにより、移動折れ戸１の前端部及び後端部と、ストッパー１７２、１７３、１８２、１８３との当接時における衝撃制振、衝撃緩和、振動吸収が可能となる。また、吊りレール１７を滑動する吊り戸用の移動回転用キャスター１５の移動（摺動）が円滑となる。一方、床敷レール１８も同様に構成する。
【００２７】
上記耐摩耗性塗膜としては、例えばポリウレタン、ポリプロピレンなどのプラスチック特性によるものと、塗料中に混入される珪藻土、酸化鉄、炭化珪素微粉により、吊りレール１７の移動回転用キャスター１５の滑動表面の耐摩耗性が向上し、耐久性が優れるものとがある。。
一方、摺動円滑性塗膜としては、例えば塗料中にスピンドル油、マシン油、ダイナモ油、流動パラフィンをエマルジョン（乳化）混入したものを塗布して構成する。これにより、吊りレール１７及び摺動性、滑動円滑性が向上する。
【００２８】
次に、図３（図１も同様）に示す移動折れ戸１の取付構造について説明する。請求項９及び請求項１０に記載されたごとく、ドア枠１９（図２及び図４参照）と、該ドア枠１９の上方部及び下方部に配設された吊りレール１７及び床敷レール１８と、該吊りレール１７及び床敷レール１８に滑動可能に配設された移動回転用キャスター１５と、少なくとも一対の扉体１２、１２とにより、構成されている移動折れ戸１である。
【００２９】
そして、ドア接合軸１４の軸受凹部１３は、一対の扉体１２、１２の略中央部に取付けられたなどの蝶番１１よりも最も離れた上下端部近傍に配設されていることが好ましい。これにより、吊りレール１７、床敷レール１８よりも手前側に移動折れ戸１を折りたたむことが可能となり、移動折れ戸１の向こう側に配設された、例えば洗面器（図７の上段図参照）又は洋服などの収納物に対して、ドアが開き戸のごとく、殆ど当接することが回避される。
【００３０】
次に、図１は、上下端部近傍１に係る移動折れ戸１の一部斜視図である。ここで注目すべきことは、移動折れ戸１は、一対の扉体１２１２は蝶番１１に対面して板ばねにより構成された開放補助具１０を有する。そして、床敷レール１８の前端部又は後端部において、略コの字状のストッパー１８２、１８３を有することである。
このストッパー１８２の本体は磁性体により構成され，移動回転用キャスター１５の先端部である連結部１５０及び滑車１６がコ字状の凹部内に嵌入することである。これにより、狭い開口部の洗面所やトイレ又は収納家具であっても、開放後に開口部が若干拡大される。
【００３１】
一方、移動折れ戸１を閉止するに当たっては、把手（図示略）を手前に引くことにより、上記開放補助具１０が開放方向に開き、移動折れ戸１の開放を円滑にすることが出来る。
そして、上記吊りレール１７及び床敷レール１８には、請求項８に記載のごとく、少なくとも移動回転用キャスター１５が滑動する部分には、耐摩耗性塗膜、摺動円滑性塗膜を有する。
一方、請求項６に記載のごとく、一対の扉体１２、１２には、磁性体、板ばね、弾性プラスチックから構成されたドア接合軸１４の軸受凹部１３が上下端部近傍に配設されている。
【００３２】
また、上記移動回転用キャスター１５は、図１及び図３に示すごとく、本体が略板状物よりなり、この本体には車輪１６を有する。車輪１６は、少なくとも４つ又は６つが配設されている。
そして、車輪１６は、回転軸１６１に回動可能に取付けられている。
【００３３】
ここで注目すべきことは、折り戸の吊レール１７の吊り戸用の移動回転用キャスター１５には、略中央部において、下方側にドア接合軸１４が立設されている。また、これに対応して一対の扉体１２、１２の上下端部近傍には軸受凹部１３がこれに対応して配設されていることである。そして、ドア接合軸１４は、後述するごとく、移動折れ戸１の組み立てに当たっては、まず一対の扉体１２、１２を床敷レール１８上に配設し、その後において吊りレール１７を配設する。この際、上記１３内にドア接合軸１４を嵌入し、回動可能にフリー（自由）な状態で両者を嵌合することである。これにより、従来のキャスターのごとく、複雑なベアリング機構を必ずしも必要としない。しかし、本発明において、移動回転用キャスター１５として従来のベアリング機構を有するキャスターの使用を排除するものではない。
【００３４】
移動折れ戸１は、ドア枠１９に取付けられた吊り戸用の吊りレール１７を円滑に走行すると共に、床敷レール１８に配設された移動回転用キャスター１５は移動折れ戸１の荷重が大きくかかることはなく、軽い力により円滑に滑動移動する。これは、吊り戸用の移動回転用キャスター１５を採用することにより、移動折れ戸１の全体を吊り上げると共に、床敷レール１８上を滑動する移動回転用キャスター１５は、若干浮いたような状態で移動折れ戸１が左右に移動することが出来るからである。
【００３５】
次に、図２及び図４を用いて、移動折れ戸１の組み立て手順及び使用方法における作動について概説する。
まず、図２は、一対の扉体１２、１２を相互に連結部１５０を介して連結しない状態を示す使用説明図である。
ここにおいて、図１に示す移動折れ戸１は、一対の扉体１２、１２により構成されているため、例えば洗面所、浴室、トイレなどにおいて狭い開口部の集合住宅やアパート住宅においては、２つ折れの移動折れ戸１を使用する態様が好ましい。以下、これを便宜上「セパレートタイプの移動折れ戸１」ともいう。
【００３６】
一方、広い会議室や集会所においては、一時的に可動間仕切りとして使用すれば良いため、前端部のもに連結部１５０を有し、後端部には必ずしも連結部１５０を配設しない態様の移動折れ戸１もあり得る。
【００３７】
他方、図３及び図４に示すごとく、一対の扉体１２、１２からなる移動折れ戸１が多数形成される態様においては、まず一対の扉体１２、１２の移動折れ戸１を折りたたみ、次にこれを左右のドア枠１９の端部に移動させ、この動作を繰り返すことにより、開口部の広い会議室、集会所、横幅の広いクローゼットなどの移動折れ戸１として適合することが出来る。
【００３８】
以上のごとく使用機能を有する移動折れ戸１及びその取付構造については、下記の実施例１及び実施例２において、具体的に説明する。
以下に、本発明の好ましい実施例１及び実施例２について、図面を用いて具体的に説明する。なお、実施例１及び実施例２は、本発明の一実施態様であって、これに拘束されるものではなく、更に変形や改良も可能である。
【００３９】
（実施例１）
本例は、図１及び図２に示すごとく、一対の扉体１２、１２のセパレートタイプの移動折れ戸１及びその取付構造を提供するものである。
まず、図１に示すごとく、本例の移動折れ戸１は、一対の扉体１２、１２は、その略中央部において、蝶番１１を取付けた一組の移動折れ戸１である。
移動折れ戸１は、吊りレール１７において、吊り戸用の移動回転用キャスター１５、１５を有する。
【００４０】
一対の扉体１２、１２は、ランバー合板及びスギ、ヒノキ等の針葉樹の角材からなる中空のフラッシュドアにより構成されている。また、蝶番１１は、テーブル蝶番よりなり、一般には拡張甲板や折りたたみ甲板などに使用されているものである。
そして、注目すべきことは、上記蝶番１１と対向する位置において板ばねよりなる開閉補助具１０を配設していることである。これにより、移動折れ戸１の開閉、特に開放が円滑になる。
【００４１】
次に注目すべきことは、一対の扉体１２、１２の上下端部近傍において、軸受凹部１３を接着接合で埋め込み装着してあることである。但し、図１においては、右側の軸受凹部１３は便宜上省略してある。そして、移動回転用キャスター１５の略中央部において下方側へ立設されたドア接合軸１４が、前記軸受凹部１３内に嵌合されていることである。上記軸受凹部１３とドア接合軸１４は共に磁性体により構成されている。これにより、軸受凹部１３とドア接合軸１４とは、磁力で引き合いながら、拘束力のないフリーな嵌合により回動自在な状態を保持することが出来る。
【００４２】
また、上記移動回転用キャスター１５は、弾性ゴムにより構成された車輪１６を各４ずつ有る。各車輪１６は、回動軸１６１により回動可能に連結されている。そして、移動回転用キャスター１５の本体は磁性体からなる長方板よりなる。ここで注目すべきことは、床敷レール１８上に滑動可能に配設された移動回転用キャスター１５は、その略中央部において、上方向に立設されたドア接合軸１４を有しており、一対の扉体１２、１２の上下端部近傍において、接着接合で埋め込み装着された軸受凹部１３内に回動可能に嵌合されておりことである。
【００４３】
これにより、移動折れ戸１は、図１及び図２に示すごとく、軽い力で移動折れ戸１を折りたたんだり、開放することが出来る。
また、吊りレール１７及び床敷レール１８には、耐摩耗性塗膜又は摺動円滑性塗膜が形成されている。耐摩耗性塗膜としては、珪藻土及び酸化鉄等を混入した塩化ビニル樹脂塗料が塗布してある。これにより、吊りレール１７及び床敷レール１８の耐久性は向上する。
【００４４】
一方、吊りレール１７及び床敷レール１８の一端においては、ストッパー１７２、１７３、１８２、１８３が配設されている。これにより、当接時の衝撃緩和や吸音効果が生じる。なお、ストッパー１７２、１７３、１８２、１８３は、磁性体及び弾性ゴムにより構成されている。なお、吊りレール１７及び床敷レール１８は、アルミニウム合金（ジラルミン）により、構成されている。
【００４５】
そして、図２に示すごとく、セパレートタイプの移動折れ戸１は、各一対ごとの折り戸を、それぞれ連結することなく開閉して、必要な部分のみ隣接する部屋との開口部を形成することが出来る。一方、図１に示した移動折れ戸１は、狭い開口部の洗面所などにおいて使用することが出来る。移動折れ戸１は、手前側のみに折りたたまれるため、ドア端部が洗面器７に当接することはない（図７参照）。
（実施例２）
本例は、図３及び図４に示すごとく、連結タイプの移動折れ戸１及びその取付構造を提供するものである。
まず、移動折れ戸１の取付構造について概要する。
図４に示すごとく、ドア枠１９と、該ドア枠１９の上方部及び下方部に配設された吊りレール１７及び床敷レール１８と、該吊りレール１７及び床敷レール１８に滑動可能に配設された移動回転用キャスター１５と、一対の扉体１２、１２とにより移動折れ戸１を構成する。
【００４６】
そして、ドア接合軸１４を嵌挿する軸受凹部１３は、各一対の扉体１２、１２の上下端部近傍において、接着接合により埋め込み装着されている。また、移動回転用キャスター１５の略中央部において立設されたドア接合軸１４は、上記軸受凹部１３内にそれぞれ嵌挿されている。これらのドア接合軸１４及び軸受凹部１３は実施例１と同様に磁性体により構成されている。なお、一対の扉体１２、１２及び蝶番１１、吊りレール１７及び床敷レール１８は、全て実施例１と同様の材料により構成されている。
【００４７】
移動折れ戸１を組み建てるに当たっては、まずドア枠１９を取付ける。次に、弾性体のドア枠１９の下方部において、床敷レール１８を取付ける。そして、この床敷レール１８上に図１に示すごとく、各一対の扉体１２、１２の上下端部近傍において装着された移動回転用キャスター１５を多数有する移動折れ戸１を所定の位置に配設する。最後に、各一対の扉体１２、１２の上端部に装着された各軸受凹部１３内に、吊りレール１４に立設されたドア接合軸１４をそれぞれ嵌合する。
【００４８】
以上のようにして構成された移動折れ戸１は、図４に示すごとく、まず左端部（右端部であっても良い。以下同じ）の一対の扉体１２、１２を把手（図示略）を持って折りたたむ。
次に、折りたたまれた一対の扉体１２、１２は、左端部へ移動させる。移動に当たっては、車輪１６は吊りレール１７及び床敷レール１８内を滑動する。
【００４９】
そして、図４の最下段図に示すごとく、隣近していた一対の扉体１２、１２を折りたたむ。このようにして、必要な開口部が得られるまで、会議室又は集会所に設置された移動折れ戸１を開放し、移動させる。そして、各一対の扉体１２、１２を連結させる。
したがって、本例によれば、引き戸と開き戸との両機能を有する移動折れ戸１及びその取付構造を提供することが出来る。
【００５０】
【発明の効果】
本発明は、請求項１〜請求項１０に記載された発明により、構成されているため、下記に記載するような諸々の効果を奏するものである。
まず、請求項１に記載された発明によれば、開き戸と引き戸との利点を有し、更に折り戸の数を全体として増加させ得ることが可能で、狭い開口部や可動間仕切りに適する移動折れ戸１及びその取付構造を提供することが出来る。
【００５１】
次に、請求項２に記載された発明によれば、一対の扉体１２、１２の前端部と後端部を連結したり、分離して連結自在な移動折れ戸１を得ることが出来る。
そして、請求項３に記載された発明によれば、強力な磁性体による移動回転用キャスター１５の連結部１５０を形成し、複数の一対の扉体１２、１２を着脱自在に連結することが出来る。
【００５２】
請求項４に記載された発明によれば、軽量で錆が出ず、可撓性、柔軟性に優れ、かつ複雑な形状の凹凸嵌合クリップ（プラグ又はキャッチ具も含む）で、量産性、加工性に優れた着脱自在な連結部１５０を形成することが出来る。
【００５３】
そして、請求項５に記載された発明によれば、前記磁性体のものよりも弾力性、柔軟性、クッション性に優れた着脱自在な凹凸嵌合クリップを得ることが出来る。
また、請求項６に記載された発明によれば、クリップ１７、床敷レール１８よりも手前側に移動折れ戸１を折りたたむことが可能となり、更に移動折れ戸１の上下端部近傍において、回転円滑性に優れた移動回転用キャスター１５と移動折れ戸１の上下端部近傍における接合部を形成することが出来る。
【００５４】
更に、請求項７に記載された発明によれば、一対の扉体１２、１２の略中央部において、比較的小さいスペースであっても、折りたたみが自在な移動折れ戸１を得ることが出来る。
【００５５】
また、請求項８に記載された発明によれば、移動折れ戸１の左右への移動が円滑になり、クリップ１７の耐久性が向上する。そして、吊りレール１７の両端部において、移動折れ戸１が当接衝撃の緩和された状態で停止し、ストッパー１７２、１７３、１８２、１８３に移動折れ戸１の前端部又は後端部が着脱自在に拘束されることが出来る。
【００５６】
そして、請求項９に記載された発明によれば、ドア枠１９内において、一対の扉体１２、１２の連結を着脱自在の状態で左右に移動折れ戸１を個別毎に連結して移動し、又は移動折れ戸１全体を連結して移動することが出来る。
したがって、狭い開口部であっても、また広い開口部を有する会議室や集会所の可動間仕切りとして適する移動折れ戸１を得ることが出来る。また、広い横幅を有するクローゼットや収納家具の移動折れ戸１を提供することが出来る。
【００５７】
また、請求項１０に記載された発明によれば、吊りレール１７、床敷レール１８よりも手前側に移動折れ戸１を折りたたむことが出来るため、移動折れ戸１の向かう側に折りたたんだ移動折れ戸１が殆ど、スペースを占有することはない。したがって、クローゼットや収納家具の横幅の広い折り戸として最適の移動折れ戸１及びその取付構造を提供することは出来る。
【図面の簡単な説明】
【図１】本発明の実施例１に係る移動折れ戸の一部斜視図。
【図２】本発明の実施例１に係る移動折れ戸の使用説明図。
【図３】本発明の実施例２に係る移動折れ戸の一部斜視図。
【図４】本発明の実施例２に係る移動折れ戸の使用説明図。
【図５】従来の折り戸の使用状態を示す説明図。
【図６】従来のスライディングドアの使用説明図。
【図７】従来のスライディングドアの効果説明図。
【符号の説明】
１…………移動折れ戸
１１………蝶番
１２………一対の扉体
１３………軸受凹部
１４………ドア接合軸
１５………移動回転用キャスター
１５０……連結部
１６………車輪
１７………吊りレール
１７２……磁性体
１７３……ゴム弾性体
１８………床敷レール
１８２……磁性体
１８３……ゴム弾性体
１９………ドア枠
【図１】
2005029972.tif 000003
【図２】
2005029972.tif 000004
【図３】
2005029972.tif 000005
【図４】
2005029972.tif 000006
【図５】
2005029972.tif 000007
【図６】
2005029972.tif 000008
【図７】
2005029972.tif 000009